(57)【特許請求の範囲】
【請求項１】
管理対象区域における複数の領域のそれぞれに対応して設けられ、対応する領域に質問信号を送信し、対応する領域に存在する識別体から識別情報を含む応答信号を受信する読取装置と、
識別情報を記憶する記憶部と、
応答信号に含まれる識別情報が前記記憶部に記憶されているものと一致した場合に当該応答信号を受信した読取装置に対応する領域を利用者存在領域として検出する位置検出部と、
前記位置検出部による検出結果に基づいて前記管理対象区域の照明機器を制御する照明制御部と、
利用者存在領域に隣接する領域に対応する読取装置から質問信号を送信させるとともに利用者存在領域に隣接しない領域に対応する読取装置から質問信号を送信させない送信制御部と、
を備えた照明管理システム。
【請求項２】
前記記憶部は、前記管理対象区域へ利用者が進入する際に読み取られた識別情報を記憶する請求項１に記載の照明管理システム。
【請求項３】
前記記憶部は、予め設定された識別情報を記憶している請求項１に記載の照明管理システム。
【発明の詳細な説明】
【技術分野】
【０００１】
本発明は、照明管理システムに関するものである。
【背景技術】
【０００２】
従来、利用者が居る領域に対応する照明機器を点灯させ、利用者が居ない領域に対応する照明機器を消灯させるシステムが知られている。このようなシステムとして、例えば、下記特許文献１に記載されたものがある。
【先行技術文献】
【特許文献】
【０００３】
【特許文献１】特許第５２６４１９０号公報
【発明の概要】
【発明が解決しようとする課題】
【０００４】
上記のようなシステムにおいて、利用者が携帯する識別体との無線通信に基づいて利用者が居る領域を検出する場合は、識別体に対して電波を送信する読取装置が領域ごとに設置される。この場合、常に全ての読取装置から電波が送信されるため、読取装置による電力消費が大きい。
【０００５】
本発明は、上記の課題を解決するためになされた。その目的は、読取装置による電力消費を削減できる照明管理システムを提供することである。
【課題を解決するための手段】
【０００６】
本発明に係る照明管理システムは、管理対象区域における複数の領域のそれぞれに対応して設けられ、対応する領域に質問信号を送信し、対応する領域に存在する識別体から識別情報を含む応答信号を受信する読取装置と、識別情報を記憶する記憶部と、応答信号に含まれる識別情報が記憶部に記憶されているものと一致した場合に当該応答信号を受信した読取装置に対応する領域を利用者存在領域として検出する位置検出部と、位置検出部による検出結果に基づいて管理対象区域の照明機器を制御する照明制御部と、利用者存在領域に隣接する領域に対応する読取装置から質問信号を送信させるとともに利用者存在領域に隣接しない領域に対応する読取装置から質問信号を送信させない送信制御部と、を備えたものである。
【発明の効果】
【０００７】
本発明に係る照明管理システムにおいて、送信制御部は、利用者存在領域に隣接する領域に対応する読取装置から質問信号を送信させるとともに利用者存在領域に隣接しない領域に対応する読取装置から質問信号を送信させない。このため、本発明によれば、読取装置による電力消費を削減することができる。
【図面の簡単な説明】
【０００８】
【図１】本発明の実施の形態１における照明管理システムが適用される管理対象区域の一例を示す模式図である。
【図２】本発明の実施の形態１における照明管理システムによる最適化制御の一例を示す第１の模式図である。
【図３】本発明の実施の形態１における照明管理システムによる最適化制御の一例を示す第２の模式図である。
【図４】本発明の実施の形態１における照明管理システムの構成図である。
【図５】本発明の実施の形態１における照明管理システムの動作を説明するためのフローチャートである。
【図６】本発明の実施の形態１における照明管理装置のハードウェア構成図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
【００１１】
実施の形態１における照明管理システムは、複数の照明機器が設置された管理対象区域に適用される。管理対象区域は、例えば、建物内の１フロア、部屋及び通路等である。管理対象区域の内部には、複数の領域が設定されている。
【００１２】
図１は、実施の形態１における照明管理システムが適用される管理対象区域の一例を示す模式図である。図１は、管理対象区域が１つの部屋１である場合を示している。なお、部屋１には、入退室管理システムも適用される。入退室管理システム及び照明管理システムは、管理システムを構成する。
【００１３】
図１に示すように、部屋１の出入口には、扉２が設けられている。扉２には、電気錠３が設けられている。部屋１の外側には、カードリーダー４が設けられている。カードリーダー４は、例えば、扉２又は扉２付近の壁面等に設置された機器である。電気錠３及びカードリーダー４は、入退室管理装置５と電気的に接続されている。電気錠３、カードリーダー４及び入退室管理装置５は、入退室管理システムを実現するために用いられる。
【００１４】
図１に示すように、部屋１の内部には、複数の照明機器６及び複数のタグリーダー７が設けられている。図１は、９つの照明機器６及び９つのタグリーダー７が設けられている場合を示している。照明機器６及びタグリーダー７は、例えば、天井及び壁面等に設置されている。タグリーダー７は、例えば、個々の照明機器６に対応して設けられている。照明機器６及びタグリーダー７は、照明管理装置８と電気的に接続されている。照明機器６、タグリーダー７及び照明管理装置８は、照明管理システムを実現するために用いられる。
【００１５】
利用者は、識別情報を有する識別体を携帯している。識別情報は、例えば、ＩＤ又は個人番号等である。実施の形態１において、利用者は、識別体としてＩＤカード９及びハンズフリータグ１０を携帯している。ＩＤカード９及びハンズフリータグ１０は、識別情報としてＩＤを有している。同一の利用者が携帯するＩＤカード９及びハンズフリータグ１０は、同一のＩＤを有している。以下、ハンズフリータグ１０を「タグ１０」と略称する。
【００１６】
カードリーダー４は、例えば、ＩＤカード９から情報を読み取る。カードリーダー４によってＩＤカード９から読み取られる情報には、当該ＩＤカード９のＩＤが含まれる。カードリーダー４は、少なくともＩＤカード９から読み取ったＩＤを入退室管理装置５に送信する。カードリーダー４の読取方式は、接触型であってもよく、非接触型であってもよい。
【００１７】
入退室管理装置５は、照合用ＩＤを予め記憶している。照合用ＩＤとしては、例えば、部屋１を日常的に使用する利用者等が携帯するＩＤカード９及びタグ１０のＩＤが記憶されている。入退室管理装置５は、カードリーダー４から受信したＩＤを照合用ＩＤと照合する。入退室管理装置５は、ＩＤの照合結果に基づいて電気錠３を制御する。入退室管理装置５は、例えば、カードリーダー４から受信したＩＤが照合用ＩＤと一致した場合に、電気錠３を解錠する。つまり、利用者は、ＩＤカード９の情報をカードリーダー４に読み取らせることで、部屋１に入室可能となる。以下、入退室管理装置５がカードリーダー４から受信したＩＤのうち照合用ＩＤと一致するものを「正規ＩＤ」とも呼ぶ。入退室管理装置５は、正規ＩＤを照明管理装置８に送信する。
【００１８】
図１に示すように、部屋１の内部には、破線で示された複数の領域が設定されている。各領域は、個々のタグリーダー７に対応している。つまり、照明機器６及びタグリーダー７は、複数の領域のそれぞれに対応して設けられている。図１は、複数の領域として、エリアＡ、エリアＢ、エリアＣ、エリアＤ、エリアＥ、エリアＦ、エリアＧ、エリアＨ及びエリアＩの９つが存在する場合を示している。例えば、エリアＡは、エリアＢ、エリアＤ及びエリアＥと隣接している。例えば、エリアＥは、他の８つのエリア全てと隣接している。
【００１９】
タグリーダー７は、タグ１０と無線通信を行う機能を有する。タグリーダー７とタグ１０との間での無線通信は、例えば、電波を用いて行われる。タグリーダー７は、対応する領域に対して質問信号を送信する機能を有する。つまり、図１における破線は、例えば、各領域に対応するタグリーダー７から送信される質問信号が届く範囲を示している。タグ１０は、質問信号を受信した場合に応答信号を送信する。タグ１０から送信される応答信号には、当該タグ１０のＩＤが含まれる。タグリーダー７は、対応する領域から送信された応答信号を受信する。タグリーダー７は、対応しない領域から送信された応答信号を受信しない。つまり、タグリーダー７は、対応する領域に存在する利用者のタグ１０からＩＤを含む応答信号を受信する読取装置として働く。
【００２０】
タグリーダー７は、応答信号を受信した場合、少なくとも当該応答信号に含まれるＩＤ及び当該タグリーダー７を特定する情報を照明管理装置８に送信する。照明管理装置８は、タグリーダー７が応答信号を受信した場合に、当該応答信号に含まれるＩＤが正規ＩＤと一致するか否かを判定する。
【００２１】
照明管理装置８は、タグリーダー７が受信した応答信号に含まれるＩＤが正規ＩＤと一致した場合に、当該タグリーダー７を特定する情報に基づいて、当該タグリーダー７に対応する領域を利用者が存在する領域として検出する。照明管理装置８は、タグリーダー７が受信した応答信号に含まれるＩＤが正規ＩＤと一致しなかった場合には、当該タグリーダー７に対応する領域を利用者が存在する領域として検出しない。以下、照明管理装置８により利用者が存在する領域として検出された領域を「利用者存在領域」とも呼ぶ。
【００２２】
照明管理装置８は、タグリーダー７が応答信号を受信するたびに、利用者存在領域の検出を行う。つまり、タグリーダー７が応答信号を受信するたびに、利用者存在領域が更新される。
【００２３】
照明管理装置８は、照明機器６を制御する機能を有する。照明管理装置８は、例えば、利用者存在領域に対応する照明機器６が点灯した状態となるように制御する。照明管理装置８は、例えば、利用者存在領域でない領域に対応する照明機器６が消灯した状態となるように制御する。
【００２４】
照明管理装置８は、タグリーダー７の最適化制御を行う機能を有する。最適化制御が行われると、「利用者存在領域に隣接する領域」に対応するタグリーダー７は、質問信号を送信する状態となる。最適化制御が行われると、「利用者存在領域に隣接しない領域」に対応するタグリーダー７は、質問信号を送信しない状態となる。質問信号を送信しない状態とは、例えば、タグリーダー７からの電波の送信のみを停止した状態又はタグリーダー７が電源オフとなった状態等である。
【００２５】
最適化制御を行う際に、例えば、部屋１に１人の利用者だけが在室している場合、当該利用者が居る利用者存在領域は、「利用者存在領域に隣接しない領域」として扱われる。最適化制御を行う際に、例えば、部屋１に２人の利用者が在室し且つ２つの利用者存在領域が隣接している場合、当該２つの利用者存在領域は、いずれも「利用者存在領域に隣接する領域」として扱われる。最適化制御を行う際に、例えば、部屋１に２人の利用者が在室し且つ２つの利用者存在領域が隣接していない場合、当該２つの利用者存在領域は、いずれも「利用者存在領域に隣接しない領域」として扱われる。
【００２６】
図２は、実施の形態１における照明管理システムによる最適化制御の一例を示す第１の模式図である。図３は、実施の形態１における照明管理システムによる最適化制御の一例を示す第２の模式図である。図２及び図３において、質問信号を送信する状態のタグリーダー７は、斜線で示されている。
【００２７】
図２は、正規ＩＤを有するタグ１０を携帯する利用者がエリアＡに居る状態で最適化制御が行われた場合を示している。この場合、利用者存在領域は、エリアＡのみである。その結果、図２に示すように、エリアＡに隣接するエリアＢ、エリアＤ及びエリアＥに対応する３つのタグリーダー７は、質問信号を送信する状態となっている。一方、エリアＡを含めてエリアＡに隣接しないエリアに対応する６つのタグリーダー７は、質問信号を送信しない状態となっている。
【００２８】
図３は、図２でエリアＡに居た利用者がエリアＥに移動した状態で最適化制御が行われた場合を示している。この場合、利用者存在領域は、エリアＥのみである。その結果、図３に示すように、エリアＥを除くエリアに対応する８つのタグリーダー７は、質問信号を送信する状態となっている。一方、エリアＥに対応するタグリーダー７は、質問信号を送信しない状態となっている。このように、利用者存在領域の更新に伴って、タグリーダー７の最適化制御が行われる。
【００２９】
図４は、実施の形態１における照明管理システムの構成図である。図４には、部屋１に適用された入退室管理システムの構成も併せて示されている。
【００３０】
図４に示すように、入退室管理システムは、電気錠３、カードリーダー４及び入退室管理装置５を備えている。入退室管理装置５は、照合部１１、電気錠制御部１２及び送信部１３を備えている。照明管理システムは、照明機器６、タグリーダー７及び照明管理装置８を備えている。照明管理装置８は、受信部１４、記憶部１５、位置検出部１６、照明制御部１７及び送信制御部１８を備えている。
【００３１】
照合部１１は、カードリーダー４から受信したＩＤが照合用ＩＤと一致するか否かを判定する。つまり、照合部１１は、カードリーダー４から受信したＩＤが正規ＩＤであるか否かを判定する。
【００３２】
電気錠制御部１２は、照合部１１による判定に基づいて電気錠３を制御する。電気錠制御部１２は、例えば、カードリーダー４から受信したＩＤが照合部１１により正規ＩＤであると判定された場合に、電気錠３を解錠する。電気錠制御部１２は、例えば、カードリーダー４から受信したＩＤが照合部１１により正規ＩＤでないと判定された場合に、電気錠３を解錠しない。
【００３３】
送信部１３は、照明管理装置８との通信を行う。送信部１３は、照合部１１により正規ＩＤであると判定されたＩＤを照明管理装置８に送信する。送信部１３は、照合部１１により正規ＩＤでないと判定されたＩＤを照明管理装置８に送信しない。
【００３４】
受信部１４は、入退室管理装置５との通信を行う。受信部１４は、送信部１３から正規ＩＤを受信する。記憶部１５は、受信部１４が受信した正規ＩＤを記憶する。
【００３５】
位置検出部１６は、応答信号を受信したタグリーダー７から当該応答信号に含まれるＩＤ及び当該タグリーダー７を特定する情報を受信する。位置検出部１６は、当該応答信号に含まれるＩＤが記憶部１５に記憶されているものと一致した場合に、当該タグリーダー７を特定する情報に基づいて、当該タグリーダー７に対応する領域を利用者存在領域として検出する。位置検出部１６は、当該応答信号に含まれるＩＤが記憶部１５に記憶されているものと一致しなかった場合には、当該タグリーダー７に対応する領域を利用者存在領域として検出しない。
【００３６】
照明制御部１７は、位置検出部１６により検出された利用者存在領域に基づいて、照明機器６を制御する。照明制御部１７は、例えば、消灯している照明機器６に対応する領域が利用者存在領域となった場合に、当該照明機器６を点灯させる。照明制御部１７は、例えば、点灯している照明機器６に対応する領域が利用者存在領域でなくなった場合に、当該照明機器６を消灯させる。照明制御部１７は、例えば、点灯している照明機器６に対応する領域が利用者存在領域として検出されなくなってから予め設定された一定時間の経過後に、当該照明機器６を消灯させる。つまり、照明制御部１７は、例えば、利用者の移動に追従して各照明機器６を点灯又は消灯させる。
【００３７】
送信制御部１８は、タグリーダー７の動作を制御する。送信制御部１８は、例えば、受信部１４が送信部１３から正規ＩＤを受信した場合、全てのタグリーダー７からの質問信号の送信を開始させる。つまり、送信制御部１８は、例えば、部屋１に利用者が入室した際に、一旦全てのタグリーダー７からの質問信号の送信を開始させる。また、送信制御部１８は、例えば、照明管理装置８が最後に応答信号を受信してから予め設定された一定時間が経過した場合、全てのタグリーダー７からの質問信号の送信を停止させる。つまり、送信制御部１８は、例えば、部屋１が無人になってからある程度の時間が経過すると、全てのタグリーダー７からの質問信号の送信を停止させる。
【００３８】
送信制御部１８は、位置検出部１６により検出された利用者存在領域に基づいて、タグリーダー７の最適化制御を行う。送信制御部１８は、「利用者存在領域に隣接する領域」に対応するタグリーダー７が質問信号を送信していない場合、当該タグリーダー７による質問信号の送信を開始させる。送信制御部１８は、「利用者存在領域に隣接する領域」に対応するタグリーダー７が質問信号を送信中である場合、当該タグリーダー７をその状態に維持する。送信制御部１８は、「利用者存在領域に隣接しない領域」に対応するタグリーダー７が質問信号を送信中である場合、当該タグリーダー７による質問信号の送信を停止させる。送信制御部１８は、「利用者存在領域に隣接しない領域」に対応するタグリーダー７が質問信号を送信していない場合、当該タグリーダー７をその状態に維持する。
【００３９】
図５は、実施の形態１における照明管理システムの動作を説明するためのフローチャートである。
【００４０】
利用者が部屋１に入室すると、照明管理装置８は、入退室管理装置５から正規ＩＤを受信する（ステップＳ１０１）。照明管理装置８は、例えば、全てのタグリーダー７からの質問信号の送信を開始させる（ステップＳ１０２）。
【００４１】
ステップＳ１０２に続いて、照明管理装置８は、いずれかのタグリーダー７が応答信号を受信したか否かを判定する（ステップＳ１０３）。ステップＳ１０３において、応答信号を受信したと判定された場合、照明管理装置８は、応答信号に含まれるＩＤが正規ＩＤと一致するか否かを判定する（ステップＳ１０４）。ステップＳ１０４において、応答信号に含まれるＩＤが正規ＩＤと一致しないと判定された場合、照明管理装置８は、ステップＳ１０３の処理を行う。
【００４２】
ステップＳ１０４において、応答信号に含まれるＩＤが正規ＩＤと一致すると判定された場合、照明管理装置８は、利用者存在領域を検出する（ステップＳ１０５）。ステップＳ１０５に続いて、照明管理装置８は、検出された利用者存在領域に基づいて、タグリーダー７の最適化制御を実施する（ステップＳ１０６）。その後、照明管理装置８は、ステップＳ１０３の処理を行う。
【００４３】
ステップＳ１０３において、応答信号を受信していないと判定された場合、照明管理装置８は、予め設定された一定時間が経過したか否かを判定する（ステップＳ１０７）。ステップＳ１０７での判定は、例えば、最後にステップＳ１０３で応答信号を受信したと判定された時からの経過時間に基づいて行われる。ステップＳ１０７での判定は、例えば、一度もステップＳ１０３で応答信号を受信したと判定されていない場合は、ステップＳ１０２の処理が行われた時からの経過時間に基づいて行われる。
【００４４】
ステップＳ１０７において、一定時間が経過していないと判定された場合、照明管理装置８は、ステップＳ１０３の処理を行う。ステップＳ１０７において、一定時間が経過したと判定された場合、照明管理装置８は、例えば、全てのタグリーダー７からの質問信号の送信を停止させる（ステップＳ１０８）。
【００４５】
実施の形態１において、読取装置は、管理対象区域における複数の領域のそれぞれに対応して設けられ、対応する領域に無線通信で質問信号を送信し、対応する領域に存在する識別体から識別情報を含む応答信号を無線通信で受信する。位置検出部１６は、応答信号に含まれる識別情報が記憶部１５に記憶されているものと一致した場合に、当該応答信号を受信した読取装置に対応する領域を利用者存在領域として検出する。照明制御部１７は、位置検出部１６による検出結果に基づいて管理対象区域の照明機器６を制御する。送信制御部１８は、利用者存在領域に隣接する領域に対応する読取装置から質問信号を送信させるとともに、利用者存在領域に隣接しない領域に対応する読取装置から質問信号を送信させない。実施の形態１によれば、利用者が現在居る領域から直接移動し得る領域に対応する読取装置だけが質問信号を送信する。つまり、利用者が現在居る領域及び利用者が直接移動し得ない領域に対応する読取装置は、質問信号を送信しない。このため、利用者の位置に応じて、その時点では利用者の移動を検出するために必要でない読取装置による質問信号の送信を停止できる。その結果、読取装置による電力消費を削減し、照明管理システムにおいて省エネルギー化を図ることができる。
【００４６】
実施の形態１において、記憶部１５は、管理対象区域へ利用者が進入する際に読み取られた識別情報を記憶する。このため、記憶部１５には、例えば、入退室管理システムで管理対象区域への進入を許可されている人物のうち、実際に管理対象区域の内部に居る人物を示す識別情報が記憶される。そして、位置検出部１６は、記憶部１５に記憶されていない識別情報を含む応答信号を受信した読取装置に対応する領域を利用者存在領域として検出しない。つまり、例えば、訪問客又は不審者等の通常の利用者とは異なる人物の位置に応じて読取装置が最適化制御されることがない。その結果、読取装置による電力消費を更に削減し、照明管理システムにおいて省エネルギー化を図ることができる。
【００４７】
実施の形態１において、記憶部１５は、予め設定された識別情報を記憶していてもよい。つまり、その位置に応じて読取装置の最適化制御を実施すべき人物を示す識別情報が、管理者等により予め設定されていてもよい。この場合、照明管理システムは、受信部１４を備えなくともよい。その結果、より簡単な構成で、照明管理システムにおいて省エネルギー化を図ることができる。
【００４８】
実施の形態１において、送信制御部１８は、受信部１４が送信部１３から正規ＩＤを受信した際に、全てのタグリーダー７から質問信号の送信を開始させなくともよい。例えば、送信制御部１８は、受信部１４が送信部１３から正規ＩＤを受信した際に、図１における扉２付近のエリアＡ、エリアＤ及びエリアＣに対応するタグリーダー７だけに質問信号の送信を開始させてもよい。つまり、管理対象区域への進入があった際に、利用者が最初に位置する可能性が高い領域に対応する読取装置だけを動作させてもよい。この場合、利用者の位置検出に失敗することを防止しつつ、読取装置による電力消費を更に削減できる。
【００４９】
実施の形態１において、利用者が携帯する識別体は１種類であってもよい。例えば、利用者がＩＤカード９を携帯せずタグ１０だけを携帯することとしてもよい。この場合であっても、カードリーダー４又は図示しない機器によって部屋１の外側でタグ１０から情報を読み取ることができれば、照明管理システムは同様の動作を行う。
【００５０】
図６は、照明管理装置のハードウェア構成図である。
【００５１】
照明管理装置８における受信部１４、記憶部１５、位置検出部１６、照明制御部１７及び送信制御部１８の各機能は、処理回路により実現される。処理回路は、専用ハードウェア５０であってもよい。処理回路は、プロセッサ５１及びメモリ５２を備えていてもよい。処理回路は、一部が専用ハードウェア５０として形成され、更にプロセッサ５１及びメモリ５２を備えていてもよい。図６は、処理回路が、その一部が専用ハードウェア５０として形成され、プロセッサ５１及びメモリ５２を備えている場合の例を示している。
【００５２】
処理回路の少なくとも一部が、少なくとも１つの専用ハードウェア５０である場合、処理回路は、例えば、単一回路、複合回路、プログラム化したプロセッサ、並列プログラム化したプロセッサ、ＡＳＩＣ、ＦＰＧＡ、又はこれらを組み合わせたものが該当する。
【００５３】
処理回路が少なくとも１つのプロセッサ５１及び少なくとも１つのメモリ５２を備える場合、受信部１４、記憶部１５、位置検出部１６、照明制御部１７及び送信制御部１８の各機能は、ソフトウェア、ファームウェア、又はソフトウェアとファームウェアとの組み合わせにより実現される。ソフトウェアやファームウェアはプログラムとして記述され、メモリ５２に格納される。プロセッサ５１は、メモリ５２に記憶されたプログラムを読み出して実行することにより、各部の機能を実現する。プロセッサ５１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。メモリ５２は、例えば、ＲＡＭ、ＲＯＭ、フラッシュメモリー、ＥＰＲＯＭ、ＥＥＰＲＯＭ等の、不揮発性又は揮発性の半導体メモリや、磁気ディスク、フレキシブルディスク、光ディスク、コンパクトディスク、ミニディスク、ＤＶＤ等が該当する。
【００５４】
このように、処理回路は、ハードウェア、ソフトウェア、ファームウェア、又はこれらの組み合わせによって、照明管理装置８の各機能を実現することができる。なお、入退室管理装置５の各機能も、図６に示す処理回路と同様の処理回路により実現される。
【符号の説明】
【００５５】
１  部屋
２  扉
３  電気錠
４  カードリーダー
５  入退室管理装置
６  照明機器
７  タグリーダー
８  照明管理装置
９  ＩＤカード
１０  ハンズフリータグ
１１  照合部
１２  電気錠制御部
１３  送信部
１４  受信部
１５  記憶部
１６  位置検出部
１７  照明制御部
１８  送信制御部
５０  専用ハードウェア
５１  プロセッサ
５２  メモリ
【図１】
0006387906.tif 000002
【図２】
0006387906.tif 000003
【図３】
0006387906.tif 000004
【図４】
0006387906.tif 000005
【図５】
0006387906.tif 000006
【図６】
0006387906.tif 000007